(57)【要約】  【課題】  たとう折りされた水引金封でありながら、水引を取外さずに金封内の紙幣または紙幣封筒を簡単にかつ速やかに出し入れすることができる水引金封を提供することである。  【解決手段】  たとう折りした紙に環状の水引を装着してなる金封であって、紙１は展開状態において、金封表面部２と金封裏面部３とこれらの間に折り込む折込部４とが折り畳み可能に横方向に連接されており、且つ前記金封表面部２、金封裏面部３および折込部４の上部および下部のいずれか一方には第１の折り返し部５が延設され、さらに金封裏面部３および折込部４を除く前記金封表面部２の他方には第２の折り返し部６が延設されている。【選択図】  図１
2005112432.tif 000002
【特許請求の範囲】
【請求項１】
たとう折りした紙に環状の水引を装着してなる金封であって、前記紙は展開状態において、金封表面部と金封裏面部とこれらの間に折り込む折込部とが折り畳み可能に横方向に連接されており、且つ前記金封表面部、金封裏面部および折込部の上部および下部のいずれか一方には第１の折り返し部が延設され、さらに前記金封裏面部を除く前記金封表面部および折込部の他方、または前記金封裏面部および折込部を除く前記金封表面部の他方には第２の折り返し部が延設されていることを特徴とする水引金封。
【請求項２】
前記金封裏面部には、前記第２の折り返し部を差し込むためのスリットが形成されていることを特徴とする請求項１記載の水引金封。
【請求項３】
前記第２の折り返し部の側部に、この第２の折り返し部の裏面上に折り重ねるための折り重ね片が形成されていることを特徴とする請求項１または２記載の水引金封。
【発明の詳細な説明】
【技術分野】
【０００１】
本発明は、結婚、出産などの慶事、または葬儀などの弔事に使用される水引金封に関し、特にたとう折りした紙に環状の飾り用水引を装着してなる水引金封に関する。
【背景技術】
【０００２】
従来から、わが国では、慶弔時に紙幣を水引金封に入れて贈ることが習わしとなっている。水引金封は、一般には図１２に示すように、たとう折りした紙５０の中央に水引５１を外挿したものであり、祝儀袋または不祝儀袋とも呼ばれる。水引５１としては、紅白または金銀の慶事用水引と、白黒、白黄または銀色の弔事用水引とがある。図１２（a）は慶事用水引金封の表面を、図１２（ｂ）はその水引金封の裏面をそれぞれ示している。
【０００３】
紙５０は、図１３に示すように、展開状態では１枚の長方形の紙であり、中央部には金封表面部５８と金封裏面部５９とこれらの間に折り込む折込部６０とが折り畳み可能に横方向に連接されている。この紙５０を図１３に一点鎖線で示した折り線５２、５３の順に折り畳む（図１４を参照）。ついで、紙の上部および下部に設けた折り線５４、５５の順に裏面側に折り返して（図１５を参照）、上部の折り返し部５６の端部に下部の折り返し部５７の端部を重ね合わせ、その重ね合わせ部位の外周面に環状の水引５１をかけて水引金封が得られる。
【０００４】
ここで、図１２および図１５に示すように、上部の折り返し部５６の端部上面に下部の折り返し部５７の端部を重ね合わせるのは慶事用（祝儀用）であり、弔事用（不祝儀用）の場合には、これとは逆に下部の折り返し部５７の端部上面に上部の折り返し部５６の端部を重ね合わせるのが習わしである。
【０００５】
このように紙５０をたとう折りし水引５１をかけた水引金封は、伝統的なものであり、格式や礼儀が重んじられるが、その反面、水引金封は取り扱いが煩雑であるという問題がある。すなわち、折り畳んだ金封内に紙幣または紙幣を収納した紙幣封筒を入れるには、まず水引５１を外し、折り畳んだ紙５０を広げてその中央部に紙幣または紙幣封筒（以下、単に紙幣という）を置き、紙５０をもとのように折り畳み、その後、水引５１をかけなければならない。しかし、水引５１をかけ直すのは、環状の水引５１の長さ自体に余裕がないため、かなり困難な作業であり、時間がかかる上に、無理にかけようとすると水引が破損したり、紙５０が破れたりするという問題がある。また、金封から紙幣を取り出す場合にも水引５１を外さなければならないため、時間がかかり、煩雑である。
【０００６】
このような問題を解決するためには、水引を取外さずに金封内の紙幣を出し入れできるようにすればよい。このため、従来から、種々の金封が提案されている。例えば、下記の特許文献１，２には、上部が開口した袋状に紙を折り畳み、水引を取外さずに袋の上部開口から紙幣を出し入れすることが提案されている。
【０００７】
しかしながら、このものは、いわば袋に水引を装着したにすぎないものであり、前記した折り返し部５６および５７を有していない。その一方、図１２〜図１５に示すように、折り返し部５６および５７を有するたとう折りした水引金封は、伝統的に古来より使用されているため、根強い需要がある。
【０００８】
また、特許文献３には、たとう折りした水引金封の裏面の上部に紙幣を挿入するためのスリットを設けた金封構造が提案されている。この金封構造によれば、水引を装着した状態で上部折り返し部を下部折り返し部から抜き出し、紙幣をスリットから金封内に挿入した後、再び上部折り返し部を下部折り返し部の下に差し込むようになっている。
しかし、金封の裏面に設けた小さなスリットから紙幣等を出し入れするのは、時間がかかり、煩雑であるという問題がある。
【０００９】
【特許文献１】特許第３１４９０２０号公報
【特許文献２】特開２０００−３３５５９０号公報
【特許文献３】登録実用新案第３０２３０５５号公報
【発明の開示】
【発明が解決しようとする課題】
【００１０】
本発明が解決しようとする主たる課題は、たとう折りされた水引金封でありながら、水引を取外さずに金封内の紙幣を簡単にかつ速やかに出し入れすることができる水引金封を提供することである。
【課題を解決するための手段】
【００１１】
本発明の水引金封は、たとう折りした紙に環状の水引を装着してなる金封であって、前記紙は展開状態において、金封表面部と金封裏面部とこれらの間に折り込む折込部とが折り畳み可能に横方向に連接されており、且つ前記金封表面部、金封裏面部および折込部の上部および下部のいずれか一方には第１の折り返し部が延設され、さらに前記金封裏面部を除く前記金封表面部および折込部の他方、または前記金封裏面部および折込部を除く前記金封表面部の他方には第２の折り返し部が延設されていることを特徴とする。
【００１２】
前記金封裏面部には、前記第２の折り返し部を差し込むためのスリットが形成されているのが好ましい。また、前記第２の折り返し部の側部には、この第２の折り返し部の裏面上に折り重ねるための折り重ね片が形成されていてもよい。
【発明の効果】
【００１３】
本発明によれば、たとう折りされる紙の金封表面部、金封裏面部および折込部の上部および下部のいずれか一方には第１の折り返し部が延設され、他方の金封裏面部または前記金封裏面部および折込部には第２の折り返し部が延設されていないので、たとう折りした状態で当該他方に紙幣を挿入するための大きな開口が形成されるため、金封内への紙幣の出し入れを簡単に且つ速やかに行うことができるという効果がある。
特に本発明の金封は、たとう折りした金封の上下折り返し部の重なりが明確であるので、金封内への紙幣の封入に際し、水引を外し、折紙を開封することなく紙幣を挿入できるという効果に加えて、慶事と弔事の違いによる金封の折り返し部の重なりを間違うことがないという効果をも有する。
【００１４】
また、金封裏面部に第２の折り返し部を差し込むためのスリットを形成すると、金封内への紙幣の出し入れがより簡単に且つ速やかに行うことができるようになる。
さらに、前記のように折り重ね片を第２の折り返し部の裏面上に折り重ねるようにすると、第2の折り返し部が補強されるため、前記スリットや、金封裏面と第１の折り返し部との間への第2の折り返し部の差込が容易になると共に、従来の金封と変わらぬ外観を有する金封を提供できるという効果がある。
【発明を実施するための最良の形態】
【００１５】
以下、本発明の一実施形態を図１〜図４に基づいて説明する。なお、図１〜図４に示す金封は慶事用のものである。図１はこの実施形態にかかる水引金封を構成する紙１の展開図である。
【００１６】
図１に示すように、紙１は金封表面部２、金封裏面部３、折込部４、第１の折り返し部５および第２の折り返し部６からなり、これらの相互間は一点鎖線で示す折り線７，８，９，１０で仕切られている。また、金封裏面部３にはスリット１１が形成されている。
【００１７】
図１に示すような形状の紙1は、例えばトムソン等の抜き型を用いて製造することができ、打ち抜きと同時に折り線７，８，９，１０も形成することができる。得られた紙１をたとう折りするには、まず、横方向に連接された金封表面部２、金封裏面部３およびこれらよりも狭幅の折込部４を折り線7および８の順に金封裏面部３の表面に折り畳む（図２を参照）。ついで、金封表面部２、金封裏面部３および折込部４の下部にそれぞれ連接された第１の折り返し部５を金封裏面部３の表面上に折り返す（図３を参照）。これによって、上部に紙幣を入れるための開口部１２を有する袋体が形成される。
【００１８】
第２の折り返し部６は、先端が基端よりも幅が狭い台形形状を有し、金封表面部２の上部にのみ連接され、金封裏面部３および折込部４には設けられていない。従って、第２の折り返し部６は、紙幣を前記開口部１２から出し入れする場合にガイドとして機能するため、紙幣の出し入れが容易になる。
【００１９】
図３に示す状態から、図４に示すように下部より環状の水引１３を通し、スリット１１内に第２の折り返し部６を差し込んで、水引金封１４が得られる。この水引金封１４に紙幣を入れるには、第２の折り返し部６の先端をスリット１１から引き抜き、水引金封１４を両側から指で押して開口部１２を大きく開き、この開口部１２から紙幣を金封内に入れ、指を離して、再びスリット１１内に第２の折り返し部６を差し込めばよい。前記スリット１１は金封内に紙幣を入れたか否かを確認する窓としても利用することができる。
【００２０】
一方、金封から紙幣を取り出すには、前記と同様にして、第２の折り返し部６の先端をスリット１１から引き抜き、水引金封１４を両側から指で押して開口部１２を大きく開き、紙幣を取り出せばよい。このように、本実施形態によれば、水引１３を取外すことなく、紙幣の出し入れを簡単に且つ速やかに行うことができるようになる。
【００２１】
以上の実施形態では、金封裏面部３にスリット１１を形成したが、スリット１１を設けずに、図５に示すように第２の折り返し部６１の先端部を第１の折り返し部５と金封裏面部３との間に差し込むようにしてもよい。また、第２の折り返し部６、６１の取り外しは指で簡単に行うことができるが、図６に示すように側部に指を引っ掛けるための切り欠き部１６を第２の折り返し部６２に設けると、より簡単に第２の折り返し部６２を取り外すことができる。
【００２２】
第２の折り返し部６、６１、６２は金封表面部２にのみ設けたが、必要なら図１に示すように金封表面部２の第２の折り返し部６に加えて、折込部４にも第２の折り返し部１５（図１に二点鎖線で示す）を設けてもよい。この場合、金封表面部２および折込部４の各第２の折り返し部６、１５は重ね合わせて折り返し、スリット１１内に先端を差し込むか、あるいは図５に示すように、重ね合わせたそれらの先端部を第２の折り返し部５と金封裏面部３との間に差し込むようにしてもよい。
【００２３】
また、第2の折り返し部6、61、62の形状は必ずしも台形である必要はなく、例えば図１３において、金封裏面部５９と折込部６０の上部に連接された折り返し部５６を除いた形状そのままであってもよく、あるいは図７に示すようにスリット１１１に差し込んだ状態でスリット１１１までは金封表面部２と同一幅であり、且つスリット１１１に差し込まれる部分が台形状もしくは両側部の一方がテーパ形の形状を有しスリット１１１に差し込み易く構成されている第2の折り返し部６３であってもよい。
【００２４】
さらに、スリット１１、１１１の幅は、図1の如く金封裏面部の幅より狭くてもよく、あるいは図７に示すように金封裏面部３と同一幅であってもよい。
図1に示すように、金封の挿入部（開口部１２）は直線状であってもよいが、図８に示すように、切り込み部６４を第２の折り返し側の金封裏面部３に形成すると、紙幣または紙幣封筒の挿入がより一層容易になる。
【００２５】
本発明のさらに他の実施形態によれば、図９に示すように、第2の折り返し部６６の側部に折り線６５を介して折り重ね片６７が形成される。この折り重ね片６７は金封裏面部３と切り離されている。このため、矢印で示すように折り重ね片６７を折り線6５で第2の折り返し部６６の裏面に折り返す場合は、第２の折り返し部６６が補強されるとともに、このようにして形成した折り返し部６６の先端を図5の如く第2の折り返し部5と金封裏面部3との間に差し込めば、金封裏面の外観は図１２に示すような従来のたとう折りした金封と何ら変わることはない。また、第２の折り返し部６６はスリット１１１に差し込むようにしてもよい。
【００２６】
この実施形態にかかる金封は、通常の金封と変わらぬ外観を有するので、伝統や礼儀を重んじる金封が求められる場合に特に好適である。加えて、折り重ね片６７を第2の折り返し部６６の裏面に糊等で接着する場合には、高強度となり、第2の折り返し部６６の差込が容易になるという効果をも有する。その他は前述の実施形態と同じである。
【００２７】
なお、図１〜図９に示した実施形態は慶事用の金封に関するものであるが、弔事用の場合は、図１０に示すように、第１の折り返し部５´を上部に設け、金封表面部２´の下部に第２の折り返し部６´を設け、スリット１１´も金封裏面部３´の下部に形成して、前記と同様にして、たとう折りすればよい。図１１(a)および(b)は、図１０の紙１´をたとう折りして得られた弔事用の水引金封１７を示しており、同図から明らかなように、第１の折り返し部５´の上に水引１３´をかけ、下から第２の折り返し部６´をスリット１１´に差し込むようにしている。その他は図１〜図９に示した実施形態と同じである。
【００２８】
このように、弔事用の水引金封１７は、図１〜４に示したような慶事用の金封と折り返し部が異なるが、これは慶事用と弔事用とでは紙の折り返し部の重なり順序が伝統的に異なるという点に考慮したものである。そして、本発明では、たとう折りした金封の上下折り返し部の違いが明確であるので、慶事と弔事の相違による金封の折り返し部の重なりを間違うことがない。
【図面の簡単な説明】
【００２９】
【図１】本発明の一実施形態にかかる慶事用の水引金封を得るための紙の展開図である。
【図２】紙のたとう折り行程を示す斜視図である。
【図３】紙のたとう折り行程を示す斜視図である。
【図４】たとう折りした慶事用の水引金封の背面図である。
【図５】本発明の第２の実施形態にかかる水引金封の背面図である。
【図６】本発明の第３の実施形態にかかる水引金封の背面図である。
【図７】本発明の第４の実施形態における紙の展開図である。
【図８】本発明の第５の実施形態における紙の展開図である。
【図９】本発明の第６の実施形態における紙の展開図である。
【図１０】本発明における弔事用の水引金封を得るための紙の展開図である。
【図１１】（a）および(b)はそれぞれ弔事用の水引金封の正面図および背面図である。
【図１２】（a）および(b)はそれぞれ通常の水引金封の正面図および背面図である。
【図１３】図１２に示す通常の水引金封を構成する紙の展開図である。
【図１４】図１３に示す紙のたとう折り行程を示す斜視図である。
【図１５】図１３に示す紙のたとう折り行程を示す斜視図である。
【符号の説明】
【００３０】
１    紙
２    金封表面部
３    金封裏面部
４    折込部
５    第１の折り返し部
６    第２の折り返し部
１１    スリット
１３    水引
１４    水引金封（慶事用）
１７    水引金封（弔事用）
【図１】
2005112432.tif 000003
【図２】
2005112432.tif 000004
【図３】
2005112432.tif 000005
【図４】
2005112432.tif 000006
【図５】
2005112432.tif 000007
【図６】
2005112432.tif 000008
【図７】
2005112432.tif 000009
【図８】
2005112432.tif 000010
【図９】
2005112432.tif 000011
【図１０】
2005112432.tif 000012
【図１１】
2005112432.tif 000013
【図１２】
2005112432.tif 000014
【図１３】
2005112432.tif 000015
【図１４】
2005112432.tif 000016
【図１５】
2005112432.tif 000017